(57)【要約】      （修正有）【課題】運動時等でも男性器の安定性を良好に保つことができるとともに、失禁時の尿や便汁の漏れを確実に防ぐことができる褌型失禁パンツを提供する。【解決手段】着用者の下腹部から股間を通って腰部に縦廻しされる縦褌１ａと、この縦褌１ａの縦廻し状態を保持するために着用者の腰腹部に横廻しされる横褌１ｂとにより構成される褌型失禁パンツ１であって、縦褌１ａは、失禁時の汚物を吸収する汚物吸収パッド部材２を備えてなり、汚物吸収パッド部材２における男性器パッド部５で男性器を包み込むように保持するとともに、汚物吸収パッド部材２における尻パッド部６で肛門周辺部を覆うようにする。【選択図】図１
0003194102.tif 000002
【実用新案登録請求の範囲】
【請求項１】
着用者の下腹部から股間を通って腰部に縦廻しされる縦褌と、この縦褌の縦廻し状態を保持するために着用者の腰腹部に横廻しされる横褌とにより構成される褌型失禁パンツであって、縦褌は、失禁時の汚物を吸収する汚物吸収パッド部材を備えてなり、該汚物吸収パッド部材により、男性器を包み込むように保持するとともに肛門周辺部を覆うようにしたことを特徴とする褌型失禁パンツ。
【請求項２】
汚物吸収パッド部材の前端側及び／又は後端側を、着用者の下腹部及び／又は腰部に宛がわれるメッシュ生地からなる布片を介して横褌に縫着したことを特徴とする請求項１記載の褌型失禁パンツ。
【考案の詳細な説明】
【技術分野】
【０００１】
本考案は、軽微の尿漏れ等で悩む男性に用いられて好適な失禁パンツに関し、特に、日本の伝統的な下着として愛用されている褌型の失禁パンツに関するものである。
【背景技術】
【０００２】
従来、男性用失禁パンツとして、トランクス型のものや、ブリーフ型のものなどが提案されている（例えば、特許文献１及び２参照。）。
【先行技術文献】
【特許文献】
【０００３】
【特許文献１】実用新案登録第３１６１４２１号公報
【特許文献２】実開平７−３１４号公報
【０００４】
ところで、日本の伝統的な下着である褌は、ブリーフ型パンツと比べて通気性が良いこと、ブリーフ型パンツのような鼠径部の締め付け感が少ないこと、トランクス型パンツと比べて男性器の安定性に優れることなど、主にその機能面から再び注目されており、褌型の失禁パンツの出現が望まれている。
【考案の概要】
【考案が解決しようとする課題】
【０００５】
本考案は、上記のような事情に鑑み、運動時等でも男性器の安定性を良好に保つことができるとともに、失禁時の尿や便汁の漏れを確実に防ぐことができる褌型失禁パンツを提供することを目的とする。
【課題を解決するための手段】
【０００６】
上記目的を達成するため、本考案の褌型失禁パンツは、着用者の下腹部から股間を通って腰部に縦廻しされる縦褌と、この縦褌の縦廻し状態を保持するために着用者の腰腹部に横廻しされる横褌とにより構成される褌型失禁パンツであって、縦褌は、失禁時の汚物を吸収する汚物吸収パッド部材を備えてなり、該汚物吸収パッド部材により、男性器を包み込むように保持するとともに肛門周辺部を覆うようにしたことを特徴とする。
【０００７】
この場合において、汚物吸収パッド部材の前端側及び／又は後端側を、着用者の下腹部及び／又は腰部に宛がわれるメッシュ生地からなる布片を介して横褌に縫着することができる。
【考案の効果】
【０００８】
本考案の褌型失禁パンツによれば、着用者の下腹部から股間を通って腰部に縦廻しされる縦褌が、失禁時の汚物を吸収する汚物吸収パッド部材を備えてなるものとされ、該汚物吸収パッド部材によって、男性器が包み込まれるように保持されるとともに肛門周辺部が覆われるので、運動時等でも男性器の安定性を良好に保つことができるとともに、失禁時の尿や便汁の漏れを確実に防ぐことができる。
【０００９】
また、汚物吸収パッド部材の前端側及び／又は後端側を、着用者の下腹部及び／又は腰部に宛がわれるメッシュ生地からなる布片を介して横褌に縫着することにより、長時間の使用でも下腹部及び／又は腰部が蒸れるのを防ぐことができる。
【図面の簡単な説明】
【００１０】
【図１】本考案の一実施形態に係る褌型失禁パンツの全体斜視図である。
【図２】汚物吸収パッド部材を示す図で、（ａ）は縦断面図、（ｂ）は（ａ）のＢ部拡大図である。
【考案を実施するための形態】
【００１１】
次に、本考案の褌型失禁パンツの実施の形態を、図面に基づいて説明する。
【００１２】
＜褌型失禁パンツの概略説明＞
図１に示される褌型失禁パンツ１は、着用者の下腹部から股間を通って腰部に縦廻しされる縦褌１ａと、着用者の腰腹部に横廻しされる横褌１ｂとを接合してなり、軽微の尿漏れ等を防ぐ機能を有し、日本の伝統的な下着として愛用されている褌のような形状を呈するものとされている。
【００１３】
＜横褌の説明＞
横褌１ｂは、長手方向にゴム紐のような伸縮性を有する帯状布の端部同士を縫着して着用者の腰腹部に巻き掛け可能なリング状に形成してなり、縦褌１ａが着用者から離脱あるいは落下しないように腰腹部を弾性収縮力で締め付けて縦褌１ａが着用者の下腹部から股間を通って腰部に縦廻しされた状態を保持する役目をする。
【００１４】
＜縦褌の説明＞
縦褌１ａは、男性器から股間を通って尻部に至る部位に接触可能に延設される汚物吸収パッド部材２を有し、該汚物吸収パッド部材２の前端側及び後端側にそれぞれ前側布片３及び後側布片４を縫着して構成されている。
【００１５】
＜汚物吸収パッド部材の説明＞
汚物吸収パッド部材２は、男性器パッド部５と尻パッド部６とが一体的に連設されて構成されている。
【００１６】
男性器パッド部５は、男性器の上半分を覆うことができる上側膨出部５ａと、男性器の下半分を覆うことができる下側膨出部５ｂとが接合されてなるものである。
両膨出部５ａ、５ｂは、いずれも互いの接合側端部に向けて末広がり形状とされている。
【００１７】
図２（ａ）に示されるように、両膨出部５ａ、５ｂを接合するにあたっては、互いの接合側端部同士を重ね合わせ、この重ね合せ部７を円弧状に縫着することにより、両膨出部５ａ、５ｂにおけるそれぞれの末広がり形状部８、９を合体させる。
こうして、男性器パッド部５は、男性器を包み込むように保持することができる立体的な収容部１０を有するカップ形状に形成される。
【００１８】
図１に示されるように、尻パッド部６は、男性器パッド部５との境界位置から着用者の尾骨に対応する位置に向けて末広がり形状とされて、肛門周辺部を覆うように着用者の尻部にぴったりと接触させることができるようになっている。
【００１９】
＜前側布片の説明＞
前側布片３は、略一定幅で上下方向に延びるダブルラッセル編み地等のメッシュ生地からなり、その上端部が横褌１ｂの前部における穿き口の内側に縫着されて、着用時に着用者の下腹部にぴったりと宛がわれるようになっている。
【００２０】
＜後側布片の説明＞
後側布片４は、下端から上端に向けて末広がり形状のダブルラッセル編み地等のメッシュ生地からなり、その上端部が横褌１ｂの後部における穿き口の内側に縫着されて、着用時に着用者の尾骨部分を中心とする腰部にぴったりと宛がわれるようになっている。
【００２１】
＜汚物吸収パッド部材の重層構造の説明＞
図２（ｂ）に示されるように、汚物吸収パッド部材２は、ドライ層１１と、吸収・消臭層１２と、防水層１３の３層を備える構造とされている。
【００２２】
ドライ層１１は、例えば、ポリエステル製繊維生地からなり、その内側表面をミクロパイル仕上げして、吸水・速乾性に優れるとともに、男性器に対して優しい肌さわりを実現するようにしている。
なお、ドライ層１１における男性器や尻部と接触する側の面をメッシュ生地で覆って蒸れ防止効果を付加するようにしても良い。
【００２３】
吸収・消臭層１２は、吸水・吸湿・保水性機能に加え、アンモニア吸着機能を有する不織布が好適に用いられ、例えば、レーヨン、ポリエステル、吸水・吸湿性繊維（例えば、帝人社製「ベルオアシス」（登録商標））などの繊維素材（機能性繊維素材を含む。）を適宜に組み合わせることによって、吸水・吸湿・保水性に優れ、アンモニアに対する消臭性能を高め、臭いの発生・拡散を防ぐようにしている。
【００２４】
防水層１３は、屈曲性があり、不透水性のシート（又はフィルム）で、例えば、ポリウレタン製フィルム（又はシート）が好適に用いられ、吸収・消臭層１２で吸収した尿等を外部に漏らさないようにしている。
なお、防水層１３におけるズボン等と接触する側の面を、例えば、ポリエステル繊維等の布地で覆って防水層１３を保護するようにしても良い。
【００２５】
＜作用効果の説明＞
本実施形態の褌型失禁パンツ１によれば、着用者の下腹部から股間を通って腰部に縦廻しされる縦褌１ａが、失禁時の汚物を吸収する汚物吸収パッド部材２を備えてなるものとされ、汚物吸収パッド部材２における男性器パッド部５によって男性器が包み込まれるように保持されるとともに、汚物吸収パッド部材２における尻パッド部６によって肛門周辺部が覆われるので、運動時等でも男性器の安定性を良好に保つことができるとともに、失禁時の尿や便汁の漏れを確実に防ぐことができる。
褌型失禁パンツ１の着用時おいて、着用者の下腹部には、メッシュ生地からなる前側布片３が宛がわれ、着用者の腰部には、やはりメッシュ生地からなる後側布片４が宛がわれるので、長時間の使用でも下腹部及び腰部が蒸れるのを防ぐことができる。
【００２６】
なお、褌型失禁パンツ１は、褌としての特徴、すなわち通気性が良いこと、鼠径部の締め付け感が少ないという特徴を有しているのは言うまでもない。
また、褌型失禁パンツ１は、汗ばむ季節は単独で、寒い季節は手持ちの下着と併用して年中快適に使用することができる。
【００２７】
以上、本考案の褌型失禁パンツについて、一実施形態に基づいて説明したが、本考案は上記実施形態に記載した構成に限定されるものではなく、その趣旨を逸脱しない範囲において適宜その構成を変更することができるものである。
【００２８】
例えば、上記の実施形態においては、汚物吸収パッド部材２の前端側及び後端側の両方を、それぞれ前側布片３及び後側布片４を介して横褌１ｂに縫着するようにした態様例を示したが、汚物吸収パッド部材２の前端側又は後端側のいずれかのみを、前側布片３又は後側布片４を介して横褌１ｂに縫着する態様例もあり得る。
【００２９】
また、横褌１ｂの左右両側部の適宜箇所、例えば、図１中記号Ａ矢印で示される２箇所を切断して、横褌１ｂを前後に分割構成し、これら分割横褌の端部同士を、例えば、面ファスナー等で着脱可能に結合して使用時にはリング状に繋がれた状態とし、面ファスナーによる前後の分割横褌の結合を解くことにより、褌型失禁パンツ１を前後に展開可能な構成としても良い。
こうすることにより、褌型失禁パンツ１を使用する人が寝た状態でも介護者がその人に褌型失禁パンツ１を穿かせたり脱がせたりすることを容易に行うことができる。
【産業上の利用可能性】
【００３０】
本考案の褌型失禁パンツは、運動時等でも男性器の安定性を良好に保つことができるとともに、失禁時の尿や便汁の漏れを確実に防ぐことができるという特性を有していることから、ビジネスマンやスポーツマン、外出の多い活動的な人の失禁対策の用途に好適に用いることができる。
【符号の説明】
【００３１】
１  褌型失禁パンツ
１ａ  縦褌
１ｂ  横褌
２  汚物吸収パッド部材
３  前側布片
４  後側布片
５  男性器パッド部
６  尻パッド部
【図１】
0003194102.tif 000003
【図２】
0003194102.tif 000004